(57)【要約】      （修正有）【課題】大広間を有する飲食店舗の出入り口を居酒屋や酒場風に演出できる出入り口構造と、大広間に簡易構造の個室が設けられた飲食店舗と、飲食店舗用個室の提供。【解決手段】大広間３に多数の卓袱台４を配置するとともに個室５を配設し、出入り口構造２の開口部に両開き戸１を配設して成る飲食店舗において、出入り口構造２が、外面に向けて凸状に湾曲する円弧面を下端から上端に向けてその曲率半径が大となる円錐面としてその表面を塗装仕上げした樽風化粧壁と、樽風化粧壁に複数段に渡って配設される竹編み状の樽押えと、樽風化粧壁の中央で所要幅、所要高さで貫通され、両開き戸１に連通される通路８とから成る。また、個室５が、樽状の円錐面の表面を塗装仕上げした樽風化粧壁と、樽風化粧壁に複数段に渡って配設される竹編み状の樽押えと、樽風化粧壁の所要周面に所要幅、所要高さで貫通形成される通路８と、下端の床面１４とから成る。【選択図】図１
2012012770.tif 000002
【特許請求の範囲】
【請求項１】
大広間に多数の卓袱台を配置するとともに個室を配設し、出入り口構造の開口部に両開き戸を配設して成る飲食店舗において、
前記出入り口構造が、外面に向けて凸状に湾曲する円弧面を下端から上端に向けてその曲率半径が大となる円錐面としてその表面を塗装仕上げした樽風化粧壁と、該樽風化粧壁に複数段に渡って配設される竹編み状の樽押えと、該樽風化粧壁の中央で所要幅、所要高さで貫通され前記両開き戸に連通される通路とから成る飲食店舗。
【請求項２】
前記個室が、樽状の円錐面の表面を塗装仕上げした樽風化粧壁と、該樽風化粧壁に複数段に渡って配設される竹編み状の樽押えと、該樽風化粧壁の所要周面に所要幅、所要高さで貫通形成される通路と、下端の床面から成る請求項１記載の飲食店舗。
【請求項３】
樽状の円錐面の表面を塗装仕上げした樽風化粧壁と、該樽風化粧壁に複数段に渡って配設される竹編み状の樽押えと、該樽風化粧壁の所要周面に所要幅、所要高さで貫通形成される通路と、下端の床面とから成る飲食店舗個室。
【発明の詳細な説明】
【技術分野】
【０００１】
本発明は、出入り口構造に特徴があり内部の個室が特徴的である飲食店舗と飲食店舗用個室に関する。
【背景技術】
【０００２】
大広間を有する飲食店舗での酒食の提供は、囲炉裏の回りに設けられたカウンターや広間に配置された多数の卓袱台や個室毎に置かれた卓袱台におけるのが通常である。３〜４人の少人数で卓を囲む場合の個室は和風建築様式のものでは建築費用がかかるので、大広間に設置される簡易な構造で周囲と隔絶できる個室が求められるが、個室の形成に「酒」につきものの「酒樽」の様式を取り入れ、居酒屋や酒場に相応しい雰囲気を醸し出す技術によるものは未だ提案されていない。また、個室の設けられる飲食店舗の出入り口に「酒樽」の様式を取り入れた出入り口構造も未だ提案されていない。
【発明の概要】
【発明が解決しようとする課題】
【０００３】
本発明は、上記実情に鑑みて、大広間を有する飲食店舗の出入り口を居酒屋や酒場風に演出した出入り口構造と、大広間に簡易構造の個室が設けられた飲食店舗と、飲食店舗用個室の提供をその目的とするものである。
【課題を解決するための手段】
【０００４】
本発明の請求項１に記載した飲食店舗は、大広間に多数の卓袱台を配置するとともに、個室を配設し、出入り口構造の開口部に両開き戸を配設して成る飲食店舗において、
前記出入り口構造が、外面に向けて凸状に湾曲する円弧面を下端から上端に向けてその曲率半径が大となる円錐面としてその表面を塗装仕上げした樽風化粧壁と、樽風化粧壁に複数段に渡って配設される竹編み状の樽押えと、樽風化粧壁の中央で所要幅、所要高さで貫通され前記両開き戸に連通される通路とから成る。
請求項２に記載した発明は、請求項１に記載した飲食店舗において、
前記個室が、樽状の円錐面の表面を塗装仕上げした樽風化粧壁と、樽風化粧壁に複数段に渡って配設される竹編み状の樽押えと、樽風化粧壁の所要周面に所要幅、所要高さで貫通形成される通路と、下端の床面とから成る。
請求項３に記載した飲食店舗用個室は、樽状の円錐面の表面を塗装仕上げした樽風化粧壁と、樽風化粧壁に複数段に渡って配設される竹編み状の樽押えと、樽風化粧壁の所要周面に所要幅、所要高さで貫通形成される通路と、下端の床面とから成る。
【発明の効果】
【０００５】
本発明は、出入り口構造がいかにも居酒屋や酒場風であるから人目につき易く、店舗名よりも認識され易いものである上、大広間を単なる間仕切りで区画するものと違い、プライベートな酒席を確保しつつ酒樽様式の単体の個室を、店舗の建築構造に左右されることなく簡易な造作で設置できから、大スペース空間を飲食店舗用に模様替えし易いものであるから、空事務所等の遊休スペースの有効利用にも資するものであり、利用する側では酒樽の雰囲気の中で周囲と隔絶されて酒食を楽しむことができるから、常連客が増え店舗が繁盛する効果がある。
【図面の簡単な説明】
【０００６】
【図１】本発明に係る飲食店舗Ａの要部平面図。
【図２】本発明に係る出入り口構造２の平面図。
【図３】同上図２に示す出入り口構造２の正面図。
【図４】本発明に係る飲食店舗用個室５の正面図。
【図５】同上図４に示す飲食店舗用個室の平面図。
【発明を実施するための形態】
【０００７】
本発明における樽風化粧壁は、出入り口構造では部分的な円錐面を形成して杉ザラ板の無垢材による樽状接合によるものから、合板等の下地材に杉ザラ板貼りで成形されるものなどであり、その表面があめ色塗装で仕上げられる。また、個室の場合の樽風化粧壁は、基本的には完全樽状で通路のみが貫通されるものであるが、室内の窓側に配置される個室の場合には、明り取りとしてのその一部が切り取られることもある。樽押えは天然の竹材によるものから、合成樹脂製の成形品による代替品などである。
床面は床根太組に合板下地が打ちつけられ、その上面が杉ザラ板貼りで表面があめ色塗装で仕上げられる。
【実施例】
【０００８】
本発明の飲食店舗Ａを一実施例により説明すると、図１に示すように、出入り口１aに両開き戸１、１を設けた出入り口構造２をその外面を円錐面として人目につき易い酒樽状構造とし、内部の大広間３には多数の卓袱台４とともに、酒樽状の一対の個室５が配置されて成る。
そこで、出入り口構造２を詳述すると、図２、図３に示すように、外面に向けて平面視凸状に湾曲する円弧面を、下端から上端に向けてその曲率半径が大となる円錐面とする杉ザラ板貼りでその表面をあめ色塗装で仕上げした樽風化粧壁６と、樽風化粧壁６に複数段（５段）に渡って配設される竹編み状の樽押え７と、樽風化粧壁６の中央で所要幅、所要高さで貫通され前記両開き戸１に連通される通路８とから成る。このほか、通路８の始端で上部両側には支持板９が設けられ、両支持板９、９の水平孔に差し渡された受木（黒竹）１０に暖れん１１が垂下される。
個室５は図４、図５に示すように、酒樽状の杉ザラ板貼りでその表面をあめ色塗装で仕上げた樽風化粧壁６と、樽風化粧壁６に複数段に渡って配設される竹編み状の樽押え７と樽風化粧壁６の所要位置に所要幅、所要高さで貫通形成される通路８と、下端の床面１４とから成る。床面１４は床根太組に合板下地が接合され、その上面に杉ザラ板貼りが施され、その表面があめ色塗装で仕上げられる。
この個室５には一卓の卓袱台４が置かれ、座布団や座椅子１２が添えられて４人分の酒樽席が設けられる。
また、この個室５の通路８の前にも出入り口構造２におけると同様の暖れん１１が設けられることもある。
さらに、一対の個室５の円錐面間の隙間には合板貼り１３が施される。
本実施例では、大広間３に一対の個室５を設けたがこれに限定されるものでなく、複数個連続して設けることや、丸々酒樽形状のもので配置され得る。
【０００９】
このようにして成る飲食店舗Ａは、出入り口構造２が人目につき易いものであるから興味が注がれて誘客効果を呈するとともに、店舗内の酒樽状の個室５ではその雰囲気に酔わされて快い酒宴となり、常連客を増員できることとなる。
【産業上の利用可能性】
【００１０】
本発明は、既存の建築物の出入り口を簡易な構造で居酒屋や酒場風に模様替えできる上、内部の大広間に既存の建築構造に左右されることなく酒場風の個室を簡易に配置できるから、新規な飲食店舗としては勿論のこと、改築による飲食店舗としても飲食業界の活性化に資するとともに、木材業界にも貢献できる。
【符号の説明】
【００１１】
１：両開き戸
１a：出入り口
２：出入り口構造
３：大広間
４：卓袱台
５：個室
６：樽風化粧壁
７：樽押え
８：通路
９：支持板
１０：受木
１１：暖れん
１２：座椅子
１３：合板貼り
Ａ：飲食店舗
【図１】
2012012770.tif 000003
【図２】
2012012770.tif 000004
【図３】
2012012770.tif 000005
【図４】
2012012770.tif 000006
【図５】
2012012770.tif 000007